(57)【要約】【課題】本発明は、頭部から顔部、首部及び肩上部までを、末広がりの袋状に被覆して、顔面被覆部分を降雨時でも視界のよい透明撥水性にした折畳みフードで、幼児から老齢者まで手軽に被ることができ、降雨時、自転車雨中走行時、インフルエンザ感染予防用、防寒用、じんあい回避用、各種作業用、幼児用など広く利用できるようにしたレインフードを提供する。【解決手段】透明撥水性薄厚合成樹脂フィルムからなる顔面被覆部分１１Ｂと、ほぼ同形の透湿防水布はく又は合成樹脂フィルムからなる後部被覆部分の１２１Ｃと１２２Ｃとからなる１２Ｃとを順次重ねて各両側端部同士を防水粘着２０Ｃして袋状物１０Ｃに形成した袋内空気の流通がよいレインフード。【選択図】    図３−２
2010281023.tif 000002
【特許請求の範囲】
【請求項１】
頭部から顔部及び首部を経て肩上部までを防水被覆できるように末広がり袋状に形成し、開口部から被れるようにした薄厚の袋状物であって、視界を必要とする顔面被覆部分は、透明性の薄厚合成樹脂フィルムから形成したレインフードにおいて、前記袋状物（１０Ａ）が、前記透明撥水性の薄厚合成樹脂フィルムを折目をつくることなく２つ折り（１０１Ａ）して前記顔面被覆部分（１１Ａ）を形成し、前記顔面被覆部分（１１Ａ）に続く袋状に形成される、前記開口部（１００Ａ）を除く、重ね合せ部分の端部同士（１０２Ａ）及び（１０３Ａ）を防水粘着（２０Ａ）して後部被覆部分（１２Ａ）を形成したことを特徴としたレインフード。
【請求項２】
前記袋状物（１０Ｂ）が、ほぼ半切袋状、扇形状、又は台形状に形成された前記透明撥水性の薄厚合成樹脂フィルムからなる前記顔面被覆部分（１１Ｂ）と、ほぼ同形の防水布はく又は合成樹脂フィルムからなる後部被覆部分（１２Ｂ）とを重ね合わし、前記開口部（１００Ｂ）を除く、前記顔面被覆部分（１１Ｂ）と前記後部被覆部分（１２Ｂ）との重ね合せ部分の端部同士（１０１Ｂ）、（１０２Ｂ）、（１０２１Ｂ）、（１０２２Ｂ）及び（１０３Ｂ）を防水粘着（２０Ｂ）して形成したことを特徴とした請求項１記載のレインフード。
【請求項３】
前記袋状物（１０Ｃ）が、前記後部被覆部分（１２Ｃ）を、第１段目カバー（１２１Ｃ）、第２段目カバー（１２２Ｃ）及び必要に応じ第ｎ段目（ｎは３又は３以上）カバーに分割し、第１段目カバー（１２１Ｃ）と、前記第１段目カバー（１２１Ｃ）内側に、前記第１段目カバー（１２１Ｃ）との間に間隙が残るように、先端（１２２１Ｃ）が、前記第１段目カバー（１２１Ｃ）後端（１２１２Ｃ）より、上方の内側から両側端を介して吊り下げられるようにした第２段目カバー（１２２Ｃ）と、必要に応じ第ｎ段目カバーと、第ｎ段目カバー内側に、第ｎ段目カバーとの間に間隙が残るように、第ｎ＋１段目カバー先端が、第ｎ段目カバー後端より、上方の内側から両側端を介して吊り下げられるようにして、前記顔面被覆部分（１１Ｂ）と各段目のカバーの前記各両側端の重ね合せ部分の端部同士をそれぞれ防水粘着（２０Ｃ）したことを特徴とした請求項２記載のレインフード。
【請求項４】
前記防水粘着（２０Ａ）、（２０Ｂ）又は（２０Ｃ）が、前記透明撥水性合成樹脂フィルム（１２Ａ）の同方向又は反対方向による重ね合せ端部同士の間、又は、前記透明撥水性合成樹脂フィルム（１１Ｂ）と前記防水布はく（１２Ｂ）、又は、前記合成樹脂フィルム（１２Ｃ）との同方向又は反対方向による重ね合せ部分の端部同士の間に介在させたゴム系両面粘着層により形成されることを特徴とした請求項１、２又は３記載のレインフード。
【請求項５】
前記顔面被覆部分（１１Ａ）又は（１１Ｂ）が、透明撥水性の厚み１００ミクロン以下の薄厚合成樹脂フィルムからなることを特徴とした請求項１、２、３又は４記載のレインフード。
【請求項６】
前記袋状物（１０Ａ）、（１０Ｂ）又は（１０Ｃ）の前記顔面被覆部分（１１Ａ）又は（１１Ｂ）の下端の中央と、使用者の雨衣との間に紐付クリップ（３０Ａ）、（３０Ｂ）又は（３０Ｃ）を張設して、前記顔面被覆部分（１１Ａ）、（１１Ｂ）又は（１１Ｃ）が風圧に対抗して顔面の被覆保持をできるようにしたことを特徴とした請求項１、２、３、４又は５記載のレインフード。
【請求項７】
前記紐付クリップ（３０Ｂ）又は（３０Ｃ）が、紐（３１Ｂ）又は（３１Ｃ）と前記紐（３１Ｂ）又は（３１Ｃ）の一端に連結した透明撥水性の薄厚合成樹脂フィルム挟着用のクリップ（３２１Ｂ）又は（３２１Ｃ）が、両挟着片の内側にゴム系両面粘着テープを貼着していることを特徴とした請求項６記載のレインフード。
【発明の詳細な説明】
【技術分野】
【０００１】
本発明は、頭部から顔部、首部及び肩上部までを防水被覆ができるようにすると共に、降雨による視界不良を解消したレインフードに関する。
【背景技術】
【０００２】
従来の雨カッパや雨衣に取りつけられたずきんは、顔の前面部分が開口されて、雨が直接浸入するため、降雨による視界の見通しが悪くなる欠点があった。このため、顔の前面上部にひさし状の透明フィルムが取りつけられたものが出現したが、降雨による透明フィルムのぬれにより視界が悪く、また、開口部からの降雨の浸入を避けることができなかった。そこで、袋状に頭部から肩部にかけて被覆し顔面に対応する部分を透明にしたものが考えられたが、透明部分は、通常の透明合成樹脂フィルムを使用していたので、降雨による視界の悪さは依然として改善されなかったので実用化されていない。そこで、本発明者は頭巾を末広がり状の袋状物に形成し、視界を必要とする顔面被覆部分は透明撥水性合成樹脂フィルムで被覆できるように計画したが、透明撥水性の合成樹脂フィルムは、融着又は接着により袋状に接合して形成することができない欠点があり、本発明者等は鋭意研究の結果、レインフードは使用中は重負荷が加わらず、軽量で、通常の使用状態では、強度の剥離力、引張力、引裂力等が加わらないことに着目し、ゴム系の粘着層を防水接合のために重ね合わせ部分の間に介在させれば、実用使用に支障のないことを見出し本発明を完成した。
【先行技術文献】
【特許文献】
【０００３】
【特許文献１】特開平６−３４１００３号公報
【特許文献２】特開平１０−２０４７１６号公報
【発明の概要】
【発明が解決しようとする課題】
【０００４】
本発明は、頭部から顔部を経て首部及び肩上部までを、末広がりの袋状に被覆して完全防水できるようにすると共に、降雨に対し、視界が悪くならないようにしたレインフードを提供するものである。
また、本発明は、頭巾を除いた雨合羽や雨衣上下服を着用して本発明品を使用すれば、降雨時の自転車走行や各種作業などのとき、雨傘を使用しないで全身の完全防水ができるようにしたレインフードを提供するものである。
また、本発明は、頭部から顔部を経て首部及び肩上部まで完全防水被覆した袋内の空気の流通をはかることができるようにしたレインフードを提供するものである。
また、本発明は、降雨時に使用できるほか、風塵回避用やインフルエンザ感染予防用、防寒用、幼児用等のためにも使用できるレインフードを提供するものである。
さらに、本発明は、小形、軽量で、ポケットサイズに折り畳んで収納でき、構造簡単で製作費安く容易に製造できるレインフードを提供するものである。
【課題を解決するための手段】
【０００５】
本発明レインフードは、上記課題を達成するため、図示するように、請求項１の発明は、頭部から顔部及び首部を経て肩上部までを防水被覆できるように末広がり袋状に形成し、開口部から被れるようにした薄厚の袋状物であって、視界を必要とする顔面被覆部分は、透明性の薄厚合成樹脂フィルムから形成したレインフードにおいて、前記袋状物（１０Ａ）が、前記透明撥水性の薄厚合成樹脂フィルムを折目をつくることなく２つ折り（１０１Ａ）して前記顔面被覆部分（１１Ａ）を形成し、前記顔面被覆部分（１１Ａ）に続く袋状に形成される、前記開口部（１００Ａ）を除く、重ね合せ部分の端部同士（１０２Ａ）及び（１０３Ａ）を防水粘着（２０Ａ）して後部被覆部分（１２Ａ）を形成したレインフードである。
また、本発明レインフードは、上記課題を達成するため、図示するように、請求項２の発明は、請求項１の発明において、前記袋状物（１０Ｂ）が、ほぼ半切袋状、扇形状、又は台形状に形成された前記透明撥水性の薄厚合成樹脂フィルムからなる前記顔面被覆部分（１１Ｂ）と、ほぼ同形の防水布はく又は合成樹脂フィルムからなる後部被覆部分（１２Ｂ）とを重ね合わし、前記開口部（１００Ｂ）を除く、前記顔面被覆部分（１１Ｂ）と前記後部被覆部分（１２Ｂ）との重ね合せ部分の端部同士（１０１Ｂ）、（１０２Ｂ）、（１０２１Ｂ）、（１０２２Ｂ）及び（１０３Ｂ）を防水粘着（２０Ｂ）して形成したレインフードである。
また、本発明レインフードは、上記課題を達成するため、図示するように、請求項３の発明は、請求項２の発明において、前記袋状物（１０Ｃ）が、前記後部被覆部分（１２Ｃ）を、第１段目カバー（１２１Ｃ）、第２段目カバー（１２２Ｃ）及び必要に応じ第ｎ段目（ｎは３又は３以上）カバーに分割し、第１段目カバー（１２１Ｃ）と、前記第１段目カバー（１２１Ｃ）内側に、前記第１段目カバー（１２１Ｃ）との間に間隙が残るように、先端（１２２１Ｃ）が、前記第１段目カバー（１２１Ｃ）後端（１２１２Ｃ）より、上方の内側から両側端を介して吊り下げられるようにした第２段目カバー（１２２Ｃ）と、必要に応じ第ｎ段目カバーと、第ｎ段目カバー内側に、第ｎ段目カバーとの間に間隙が残るように、第ｎ＋１段目カバー先端が、第ｎ段目カバー後端より、上方の内側から両側端を介して吊り下げられるようにして、前記顔面被覆部分（１１Ｂ）と各段目のカバーの前記各両側端の重ね合せ部分の端部同士をそれぞれ防水粘着（２０Ｃ）したレインフードである。
また、本発明レインフードは、上記課題を達成するため、図示するように、請求項４の発明は、請求項１、２又は３の発明において、前記防水粘着（２０Ａ）、（２０Ｂ）又は（２０Ｃ）が、前記透明撥水性合成樹脂フィルム（１２Ａ）の同方向又は反対方向による重ね合せ端部同士の間、又は、前記透明撥水性合成樹脂フィルム（１１Ｂ）と前記防水布はく（１２Ｂ）、又は、前記合成樹脂フィルム（１２Ｃ）との同方向又は反対方向による重ね合せ部分の端部同士の間に介在させたゴム系両面粘着層により形成されるレインフードである。
また、本発明レインフードは、上記課題を達成するため、図示するように、請求項５の発明は、請求項１、２、３又は４の発明において、前記顔面被覆部分（１１Ａ）又は（１１Ｂ）が、透明撥水性の厚み１００ミクロン以下の薄厚合成樹脂フィルムからなるレインフードである。
また、本発明レインフードは、上記課題を達成するため、図示するように、請求項６の発明は、請求項１、２、３、４又は５の発明において、前記袋状物（１０Ａ）、（１０Ｂ）又は（１０Ｃ）の前記顔面被覆部分（１１Ａ）又は（１１Ｂ）の下端の中央と、使用者の雨衣との間に紐付クリップ（３０Ａ）、（３０Ｂ）又は（３０Ｃ）を張設して、前記顔面被覆部分（１１Ａ）、（１１Ｂ）又は（１１Ｃ）が風圧に対抗して顔面の被覆保持をできるようにしたレインフードである。
さらに、本発明レインフードは、上記課題を達成するため、図示するように、請求項７の発明は、請求項６の発明において、前記紐付クリップ（３０Ｂ）又は（３０Ｃ）が、紐（３１Ｂ）又は（３１Ｃ）と前記紐（３１Ｂ）又は（３１Ｃ）の一端に連結した透明撥水性の薄厚合成樹脂フィルム挟着用のクリップ（３２１Ｂ）又は（３２１Ｃ）が、両挟着片の内側にゴム系両面粘着テープを貼着しているレインフードである。
本発明において、透明撥水性の合成樹脂フィルムは、物性自体が、撥水性乃至非粘着性を有する公知のもの例えばＥＴＦＥフィルム、ＦＥＰフィルムなどは、すべて含まれ、また、物性は通常の透明合成樹脂フィルムであっても、透明撥水性が賦与される公知の薬剤の塗布、又はコーティング加工されたものも含まれる。また、透明撥水性の合成樹脂フィルムは、着用者の眼鏡装着時の皮膚面への刺激回避のため、厚み１００ミクロンメートル以下が望ましい。
また、本発明において、紐付クリップは、本発明品の顔面被覆部分下端と着用者の上衣又は上体とに直接又は間接的に係着して紐つなぎができるものであればよい。
【発明の効果】
【０００６】
本発明レインフードは、顔面被覆部分のうち視界を必要とする部分は透明撥水性の薄フィルムで形成され、末広がりの袋状物を開口部から被れば、頭部から顔部を経て首及び肩上までを、その形に沿って、ゆるやかに覆うように被ることができると共に、頭巾を除いた雨合羽や雨衣上下服を着用して雨傘なしで降雨時の各種作業や自転車走行ができる。特に自転車走行時や雨風の激しいとき、風圧に対しては、紐付クリップからの紐締めによって風圧を避けることができる。
また、本発明レインフードは、山形の袋状物であるので、カバーは末広がりになって肩上部までたれ下がり、袋内空気の流通がよく、蒸し暑くなく、さらに、後部被覆部が２段以上の重ね合わせによる間隙を形成したものは、さらに袋内の空気の流通がよい。
また、本発明レインフードは、レインフードの目的以外に、例えば、風塵回避用、インフルエンザ感染予防用、防寒用、各種作業等の用途にも使用できる利点がある。さらに、本発明レインフードは、山形のフードであるので、幼児や子供でも袋状の開口部から被るだけで使用できる利点があり、着脱が極めて容易である。
また、本発明レインフードは、小形、軽量で、ポケットサイズに折り畳まれて収納でき、製作容易で安価にできる。
【図面の簡単な説明】
【０００７】
【図１−１】本発明の実施例を示す正面図である。
【図１−２】図１−１の防水粘着の説明図である。
【図１−３】図１−１の使用状態説明図である。
【図２−１】本発明の別の実施例を示す表側の正面図である。
【図２−２−１】図２−１の防水粘着の説明図である。
【図２−２−２】図２−１の防水粘着の別の説明図である。
【図２−３】図２−１の使用状態説明図である。
【図３−１】本発明のさらに別の実施例を示す裏側の正面図である。
【図３−２】図３−１の使用状態説明図である。
【発明を実施するための形態】
【０００８】
本発明を実施するための最良の形態が実施例１、実施例２及び実施例３に示されている。
【実施例１】
【０００９】
本発明レインフードの実施例１が、図１−１乃至図１−３に示されている。
本発明実施例のレインフードは、薄厚の透明撥水性合成樹脂フィルムからなる袋状物１０Ａと紐付クリップ３０Ａとを備えている。本発明実施例のレインフードは、厚み１００ミクロンの長方形の透明撥水性のＥＴＦＥフィルムを、折目をつけることなく２つ折り１０１Ａして重ね合せ、顔面被覆部分１１Ａを形成し、前記顔面被覆部分１１Ａに続く重ね合せ部分の各端部同士１００Ａ、１０２Ａ及び１０３Ａを全体が袋状になるように切断し、重ね合せ部分のうち、開口部１００Ａを除いて、各端部１０２Ａ及び１０３Ａ同士を一定巾のゴム系粘着テープ２０Ａで、図１−２に示すように、防水粘着して後部被覆部分１２Ａを形成し、さらに、鳩目金物を顔前被覆部分１１Ａの下端中央に２個取りつけて鳩目穴１０５Ａを形成した。
従って、図１−３に示すように、後部被覆部分１２Ａの端部１０２Ａを頭上にくるように被ると共に、顔面被覆部分１１Ａが顔前面になるように被り、鳩目穴１０５Ａから紐付クリップ３０Ａの紐３１を引き出して雨衣６０Ａにクリップ３２Ａを係着すれば、風圧に対抗して、降雨を避けることができる。この際、顔面被覆部分１１Ａは、透明撥水性フィルムのため視界はよく、特に自転車で走行したとき降雨により視界を妨げることはなく、風圧にも対抗できる。また、本発明品は末広がり状の袋状物であるので袋内の空気の流通もできる。
【実施例２】
【００１０】
本発明レインフードの実施例２が、図２−１乃至図２−３に示されている。
本発明実施例のレインフードは、ほぼ半切袋状、扇形状乃至台形状に末広がりに形成された厚み６０ミクロンの薄厚の透明撥水性合成樹脂ＥＴＦＥフィルムの顔面被覆部分１１Ｂと、ほぼ同形の透湿防水布はくからなる後部被覆部分１２Ｂと、紐付クリップ３０Ｂとを備えている。
図２−１に示すように、透明撥水性合成樹脂フィルムの顔面被覆部分１１Ｂと、透湿防水布はく１２Ｂとを重ね合せて、開口部１００Ｂを除いて、重ね合せの各端部１０１Ｂ、１０２１Ｂ、１０２Ｂ、１０２２Ｂ及び１０３Ｂを、図２−２−１又は図２−２−２に示すように、ゴム系両面粘着テープ２０Ｂにより防水粘着する。
紐付クリップ３０Ｂは、図２−３に示すように、紐３１Ｂと、紐３１Ｂの一端に連結したクリップ３２１Ｂと、紐３１Ｂの他端に連結したクリップ３２２Ｂとからなり、透明撥水性フィルムの顔面被覆部分１１Ｂの下端中央には、クリップ３２１Ｂが各内面に貼着したゴム系の両面粘着テープ（図示しない）を介して挟着し、クリップ３２２Ｂは紐３１Ｂを引き伸ばした状態で雨衣６０Ｂに係着すれば、実施例１と同様な作用効果が得られる。
【実施例３】
【００１１】
本発明レインフードの実施例３が、図３−１乃至図３−２に示されている。
本発明実施例のレインフードは、薄厚の透明撥水性合成樹脂フィルムからなる顔面被覆部分１１Ｂと、通常の合成樹脂フィルム１２１Ｃ及び１２２Ｃからなる後部被覆部分１２Ｃと、クリップ付のスプリング紐３０Ｃとを備えている。
表面側の透明撥水性の合成樹脂フィルムの顔面被覆部分１１Ｂは、実施例２の透明撥水性合成樹脂フィルムの顔面被覆部分と同じであるので、詳細説明は省略する。裏面側の後部被覆部分１２Ｃは、図３−１に示すように、第１段目が合成樹脂フィルムカバー１２１Ｃと、この内側に、第１段目カバー１２１Ｃとの間に間隙が残るように、先端１２２１Ｃが第１段目カバー１２１Ｃ後端１２１２Ｃより上方の内側から両側端１２２３Ｃより吊り下げられるように重ね合して形成された第２段目の合成樹脂フィルムカバー１２２Ｃとを、開口部１００Ｃを除いて、ほぼ同形になるように各側端を重ね合せて、各側端１０１Ｃ、１０２Ｃ、１０２１Ｃ、１０２２Ｃ及び１０３Ｃと１２２３Ｃ、１２２３Ｃをゴム系粘着テープ２０でそれぞれ防水粘着したものである。この場合、カバー１２１とカバー１２２との重複側端もそれぞれ防水粘着される。
紐付クリップ３０Ｃは、図３−２に示すように、スプリング紐３１Ｃと、紐３１Ｃの一端に連結したクリップ３２１Ｃと、紐３１Ｃの他端に連結したクリップ３２２Ｃとからなり、透明撥水性フィルムの顔面被覆部分１１Ｃの下端中央には、クリップ３２１Ｃが各内面に貼着したゴム系の両面粘着テープ（図示しない）を介して挟着し、クリップ３２２Ｃはスプリング紐３１Ｃを引き伸ばした状態で雨衣６０Ｃに係着するものである。
従って、図３−２に示すように、開口部１００Ｃから袋状に被って、スプリング紐３０Ｃで顔面被覆部分１１Ｂ下端中央と雨衣６０Ｃとを連結すれば、実施例２と同様な作用効果が得られる。なお、本発明実施例は、袋内の空気流通が後部被覆部分１２Ｃの第１段目カバー１２１及び第２段目カバー１２２との間隙により、更に改善される。
【産業上の利用可能性】
【００１２】
本発明品は、小型、軽量、製作容易で安価に製造できる。
【符号の説明】
【００１３】
１０Ａ、１０Ｂ、１０Ｃ            袋状物
１００Ａ、１００Ｂ、１００Ｃ        開口部
１０１Ａ                          ２つ折り
１０２Ａ、１０３Ａ                端部
１０１Ｂ、１０２Ｂ、１０２１Ｂ、１０２２Ｂ、１０３Ｂ      端部
１０１Ｃ、１０２Ｃ、１０２１Ｃ、１０２２Ｃ、１０３Ｃ      端部
１１Ａ、１１Ｂ                    顔面被覆部分
１２Ａ、１２Ｂ、１２Ｃ            後部被覆部分
１２１Ｃ                          第１段目カバー
１２１２                          第１段目カバーの後端
１２２Ｃ                          第２段目カバー
１２２１Ｃ                        第２段目カバーの先端
２０Ａ、２０Ｂ、２０Ｃ            防水粘着層
３０Ａ、３０Ｂ、３０Ｃ            紐付クリップ
３１Ａ、３１Ｂ、３１Ｃ            紐
３２Ａ、３２１Ｂ、３２２Ｂ、３２１Ｃ、３２２Ｃ            クリップ
６０Ａ、６０Ｂ、６０Ｃ            雨衣
【図１−１】
2010281023.tif 000003
【図１−２】
2010281023.tif 000004
【図１−３】
2010281023.tif 000005
【図２−１】
2010281023.tif 000006
【図２−２−１】
2010281023.tif 000007
【図２−２−２】
2010281023.tif 000008
【図２−３】
2010281023.tif 000009
【図３−１】
2010281023.tif 000010
【図３−２】
2010281023.tif 000011